(57)【要約】【課題】使用温度範囲の温度変化における反射ミラーの直角度変化を低減し、光ファイバーからの出射光を正確に反射させ、損失の少ない温度特性良好なアクチュエータ装置を提供することである。【解決手段】回転軸１５と、前記回転軸１５に対し所定の角度で固定された遮蔽板１９を有する回転体と、前記回転軸１５を駆動するための駆動手段とを備え、光路中に遮光面または反射面を有する前記遮蔽板１９を挿脱させる機構を有するアクチュエータ装置において、前記遮蔽板１９は、前記遮光面または前記反射面とは異なる側面部を挟持する取付部４５により、前記回転軸１５に固定されていることを特徴としている。【選択図】    図２
2004258305.tif 000002
【特許請求の範囲】
【請求項１】
回転軸と、前記回転軸に対し所定の角度で固定された遮蔽板を有する回転体と、前記回転軸を駆動するための駆動手段とを備え、光路中に遮光面または反射面を有する前記遮蔽板を挿脱させる機構を有するアクチュエータ装置において、
前記遮蔽板は、前記遮光面または前記反射面とは異なる側面部を挟持する取付部により、前記回転軸に固定されていることを特徴とするアクチュエータ装置。
【請求項２】
前記回転軸と前記回転体の重心位置が、略一致していることを特徴とする請求項１に記載のアクチュエータ装置。
【請求項３】
前記取付部は、前記遮蔽板の側面部を支持するための案内溝を有することを特徴とする請求項１または２に記載のアクチュエータ装置。
【請求項４】
前記回転体は、ローター磁石を更に有し、前記ローター磁石の磁極間を結ぶ閉磁路を形成し、前記回転体を所定の回転位置に自己保持する少なくとも一つのヨークとを備えることを特徴とする請求項１から３のいずれか一項に記載のアクチュエータ装置。
【発明の詳細な説明】
【０００１】
【発明の属する技術分野】
本発明は、アクチュエータ装置に関するものであり、特に光通信システム等に使用される、例えば一対の光ファイバを光軸を合わせて配し、その隙間にミラーまたは遮蔽板を出し入れするための、駆動型機械式光スイッチに適用可能なアクチュエータ装置に関するものである。
【０００２】
【従来の技術】
近年、特に光ＬＡＮなどの光伝送システムにおける光スイッチ装置などに応用するために、高速に、且つ高精度な変位を得ることができるアクチュエータ装置が望まれている。特に、そのアクチュエータ装置を光スイッチに応用するためには、１０数ｍｓ程度の可動速度、±１μｍ程度のミラー位置決め精度を有することが必要とされ、様々な方法が提案されている。それら方式の中で、機械式光スイッチは、ファイバーやミラー（または遮蔽板）を機械駆動することにより、直接光の伝播方向を変えることができるため、他の方式の光スイッチに比べてスイッチ内部における光損失やクロストークが小さい等の利点を有し、光スイッチに適用できる最も有望な技術として実用化が進んでいる。
【０００３】
その技術分野における機械式光スイッチ技術としては、ミラー駆動型機械式２×２光スイッチが開示されている（例えば特許文献１参照）。この従来技術に関して、図１０を用いて説明する。
【０００４】
まず始めに、光スイッチを構成する光ファイバ部について説明する。この光ファイバ部はレンズの光軸対称に一対の光ファイバ１０１，１０３を配置した第１のコリメータレンズ組立１０５と該コリメータレンズの光軸対称に一対の光ファイバ１０７、１０９を配置した第２のコリメータレンズ組立１１１を配置し、その第１及び第２のコリメータレンズ組立１０５、１１１を対向させて光軸を一致させる。その際に第１及び第２のコリメータレンズ組立１０５、１１１は光ファイバ１０１と光ファイバ１０９、光ファイバ１０３と光ファイバ１０７とが互いに交差して光学接続するように配置して支持されている。そして、前記第１及び第２のコリメータレンズ組立１０５，１１１はそれぞれ、図示しない一対の光ファイバと光ファイバを支持するフェルールと、光ファイバとフェルール端に接続される略０．２５ピッチのロッドレンズにより構成される。
【０００５】
次に従来技術におけるアクチュエータ装置について説明する。整列ブロック１１３には、レンズの光軸と平行に設けられた軸孔が設けられており、その軸孔には、反射ミラー軸１１５が挿入されている。そして、反射ミラー１１７は、前記光ファイバ１０１，１０３から出射される光を正確に反射させる必要があるため、整列ブロック１１３には光ファイバに対し直交して反射ミラー基準面１１９を加工し、この反射ミラー基準面１１９に反射ミラー１１７を面接触させて直角度を規定している。この構成とすることにより、反射ミラー１１７の鏡面を前記光ファイバの光軸と直交させた状態で、前記反射ミラー軸１１５とともに反射ミラー１１７を回転可能としている。
【０００６】
さらに、この反射ミラー１１７は、レンズの焦点面においてレンズの光軸に直角とし各光ファイバからの光を反射させる第１の位置と、透過させる第２の位置との間を移動可能としており、その動作を駆動手段であるモーター（ＤＣマイクロモーター１２１）により行っている。その具体的な駆動手段は、ＤＣマイクロモーター１２１のモーター軸に取り付けられたブッシュ１２３、及び偏心ピン１２５により前記反射ミラー１１７を前記反射ミラー軸１１５を支点として第１の位置から第２の位置を任意に移動可能としている。
【０００７】
また、前記アクチュエータ装置により、前記一対の光ファイバ１０１、１０３の隙間に、前記反射ミラー１１７を精度良く出し入れするために、前記第１の位置、第２の位置を規定する機構が必要となる。その機構は、前記整列ブロック１１３に所定の形状で形成された切り欠き溝１２７（例えばＶ字形状）に、前記偏心ピン１２５が進入する構成とし、前記モーター軸が一方に回転して、その切り欠き溝１２７の端面に該偏心ピン１２５が当接することで第１の位置が決まり、さらに、他方に回転した際に該偏心ピン１２５が逆の端面に当接して第２の位置が決まる構成である。
【０００８】
さらに、整列ブロック１１３内の反射ミラー軸１１５に近接した位置に永久磁石１２９を埋没させておき、光ファイバからの光を反射させる第１の位置で、この永久磁石１２９により磁性体からなる反射ミラー軸１１５を一方向に付勢することで、微動する反射ミラー軸１１５を常に同じ位置とする。これにより、光ファイバから出射される光を正確に反射させるとともに、反射ミラー１１７を目的の位置に移動させた後に、ＤＣモーター１２１に通電しなくても、永久磁石１２９の磁気吸引力によりその位置に保持する自己保持状態として、その反射ミラー１１７の位置を保つことができる。
【０００９】
この様に構成した従来のアクチュエータ装置を、前記光ファイバー部と組み合わせることで、前述の光スイッチにおけるアクチュエータ装置の可動速度と精度を実現し、更に繰り返し再現性がよく、振動衝撃などの外力の影響を受けにくい小型の機械式光スイッチとしていた。
【００１０】
なお、前記反射ミラー１１７は、ステンレス鋼などの金属製の母材に、金属の両面に硬さＭＨｖ１８００以上のＴｉ−Ｎ被膜処理をし、さらに金（Ａｕ）、プラチナ（Ｐｔ）などの高反射率被膜をスパッタリングまたは化学メッキなどにより付着させて構成したものである。
【００１１】
【特許文献１】
特開２００１−７５０２６号報（第９〜１０頁、第５図）
【００１２】
【発明が解決しようとする課題】
しかしながら、従来のアクチュエータ装置は、可動速度と精度の面で優れているが、下記に記載の問題点を有する。
【００１３】
従来のアクチュエータ装置を用いた光スイッチは、光の損失を少なくするために、整列ブロック１１３と反射ミラー１１７を面接触させて反射ミラー１１７の直交度を規定し、光ファイバの光軸と常に直交した状態で、光ファイバ部に反射ミラー１１７を出し入れしていた。
【００１４】
ところが、外部環境の温度変化に伴い、アクチュエータ装置の温度が変化すると、整列ブロック１１３は熱膨張、収縮によって変形し、そのため反射ミラー基準面１１９に傾斜が生じ、これに面接触している反射ミラー１１７も傾斜することとなる。そのため光ファイバの光軸と反射ミラー１１７の直交度が損なわれ、光ファイバーからの出射光を正確に反射させることができず、温度変化による光の損失が多くなるという課題があった。
【００１５】
そこで本発明の目的は、使用温度範囲の温度変化における反射ミラーの直角度変化を低減し、光ファイバーからの出射光を正確に反射させ、損失の少ない温度特性良好なアクチュエータ装置を提供することである。
【００１６】
【課題を解決するための手段】
本発明は、上記目的を達成するために、基本的には、下記に記載されたような技術構成を採用するものである。
【００１７】
上記課題を解決するため、本発明は、回転軸と、前記回転軸に対し所定の角度で固定された遮蔽板を有する回転体と、前記回転軸を駆動するための駆動手段とを備え、光路中に遮光面または反射面を有する前記遮蔽板を挿脱させる機構を有するアクチュエータ装置において、前記遮蔽板は、前記遮光面または前記反射面とは異なる側面部を挟持する取付部により、前記回転軸に固定されていることを特徴としている。
【００１８】
また、前記回転軸と、前記回転体の重心位置が、略一致していること、そして、前記取付部は、前記遮蔽板の側面部を支持するための案内溝を有すること、更に前記回転体は、ローター磁石を更に有し、前記ローター磁石の磁極間を結ぶ閉磁路を形成し、前記回転体を所定の回転位置に自己保持する少なくとも一つのヨークとを備えることを特徴としている。
【００１９】
【発明の実施の形態】
以下、図面を用いて本発明を実施をするための最良な形態におけるアクチュエータ装置の構成を説明する。図１は本発明のアクチュエータ装置を機械式光スイッチに適用した場合の装置平面図である。
【００２０】
まず始めに光スイッチを構成する光ファイバ部について説明する。この光ファイバ部３はレンズの光軸対称に一対の光ファイバ１０１，１０３を配置した第１のコリメータレンズ組立１０５と該コリメータレンズの光軸対称に一対の光ファイバ１０７、１０９を配置した第２のコリメータレンズ組立１１１を配置し、その第１、及び第２のコリメータレンズ組立１０５，１１１を対向させて光軸を一致させる。その際に第１及び第２のコリメータレンズ組立１０５、１１１は光ファイバ１０１と光ファイバ１０９、光ファイバ１０３と光ファイバ１０７とが互いに交差して光学接続するように配置して支持されている。
【００２１】
次に本発明におけるアクチュエータ装置について説明する。
【００２２】
アクチュエータ部５は、任意のサイズの筐体１の所定の位置に配置されており、回転軸１５には遮蔽板１９、ローター磁石１７及び取付部４５が挿入固定されて回転体７を構成している。そして、回転軸１５は筐体１の底面である回転軸保持部台４１に設けられた回転軸保持部４３と軸押さえバネ１３で挟持されることによって回転自在に径方向支持されている。また、回転軸１５は軸の一端をブロック４７に付き当て、他端をスラストバネ４９により一定圧を加えることで軸方向支持されており、回転規定板５１が回転軸１５に対して回転軸保持部４３と対向する位置に設けられている。
【００２３】
このアクチュエータ部５の駆動手段としては、電磁軟鉄等の磁性材料である第１のヨーク２３を備え、第１のヨーク２３はローター磁石１７及び第１の励磁用コイル２５とともに第１の磁気回路部９を構成し、この第１の磁気回路部９は、回転体７を第１の回転位置で第１の自己保持状態とすることができるとともに、第１の回転位置から後段で説明する第２の回転位置へ移行させるだけの回転力を生じさせることにより、所定の方向に回転体７を回転させて第２の回転位置まで移動させることができる。なお、第１の磁気回路部９は筐体１にここでは図示しないねじ等で固定されている。
【００２４】
さらに、アクチュエータ部５の駆動手段としては、電磁軟鉄等の磁性材料である第２のヨーク２７を備え、第２のヨーク２７はローター磁石１７及び第２の励磁用コイル２９とともに第２の磁気回路部１１を構成し、第２の磁気回路部１１は回転体７を第２の回転位置で第２の自己保持状態を取ることができるとともに、第２の回転位置から第１の回転位置へ移行させるだけの回転力を生じさせることにより、反対方向に回転させて回転体７を第１の回転位置まで移動させることができる。なお、第２の磁気回路部１１は筐体１にここでは図示しないねじ等で固定されている。
【００２５】
第１の励磁用コイル２５は第１のヨーク２３に巻回されており、そして、第１の励磁用コイル２５の端子はここでは図示しない端子ピンまたはここでは図示しないＦＰＣに接続され、筐体１外部に取り出されて外部との電気的な接続を行うことが可能であり、また、第２の励磁用コイル２９は第２のヨーク２７に巻回されており、そして、第２の励磁用コイル２９の端子はここでは図示しない端子ピンまたはここでは図示しないＦＰＣに接続され、筐体１外部に取り出されて外部との電気的な接続を行うことが可能であり、外部駆動回路を用いてアクチュエータ装置を制御する。
【００２６】
なお、前記第１のヨーク２３及び第２のヨーク２７は図面上一体で形成されているが、複数の部材を組み合わせて磁気的な結合がされていても構わない。
【００２７】
次に本実施の形態における回転体７を図２を用いて説明する。図２は、本発明のアクチュエータ装置の回転体７の構成を説明するための斜視図であり、回転規定板５１のみ分解して示してあるが、本来は取付部４５上面に近接して組み立てられているものである。
【００２８】
回転体７は、回転軸１５に遮蔽板１９、ここでは図示しないローター磁石及び取付部４５が接着あるいは圧入等で固定され構成されている。そして、回転体７は回転軸保持部台４１上に設けられた回転軸保持部４３によって回転自在に支持され、ここでは図示しない軸押さえバネによるバネ力によって保持され、第１の回転位置規定部５７、第２の回転位置規定部５９を備えた回転規定板５１が回転軸１５に対して回転軸保持部４３と対向する位置に設けられている。
【００２９】
次に図３の回転体７の分解斜視図を用いて回転体７の構成を詳しく説明する。反射ミラー面２１を備える遮蔽板１９は、反射ミラー面２１と反射ミラー面２１に略垂直な面である側面部６１とを有している。そして、取付部４５には遮蔽板１９の側面部が接触し位置決めをする案内溝６３が設けられており、側面部６１と取付部４５とが接着固定等されて支持されている。
【００３０】
上記に説明した構成とすることで、取付部４５の軸方向厚みは、遮蔽板１９の厚み、すなわち反射ミラー面２１の２面間距離に対して十分長く取ることができる。そのため回転軸１５に取付部４５を挿入した際、回転軸外径と取付部４５の穴径の公差に対し、精度良く位置決めする事ができ、そのことで取付部４５に設けられた案内溝６３と回転軸１５とを直交するように配置し、直交度を達成することができる。また、遮蔽板１９の反射ミラー面２１と側面部６１との直角度を精度良く形成し、遮蔽板１９の側面部６１と取付部４５の案内溝６３とを接着剤等で固定することで、反射ミラー面２１と回転軸１５との直交度を精度良く得ることができる。このように精度良く組み立てられた後でローター磁石１７を挿入接着し固定する。
【００３１】
次に、本実施の形態におけるアクチュエータ部の回転規制構造について図４を用いて説明する。図４（ａ）は本発明のアクチュエータ装置を光スイッチとして用いたとき第１の回転位置におけるローター磁石近傍の断面図であり、回転軸保持部４３と軸押さえバネ１３を重ね合わせて図示したものである。図４（ｂ）は、第１の回転位置における第１の自己保持状態での磁束の流れを示す磁気回路展開模式図である。なお、ローター磁石１７は図４（ａ）及び図４（ｂ）のＮ極、Ｓ極で示す方向に２極に着磁されているとする。
【００３２】
第１のヨーク一端３１はローター磁石１７のＮ極近傍に位置し、第１のヨーク他端３３は前記ローター磁石１７のＳ極近傍に位置している。回転軸１５は回転軸保持部４３と軸押さえバネ１３とで挟み込まれることで回転自在に支持され、保持されている。そして、取付部４５の第１の角度規定部５３は回転規定板５１の第１の回転位置規定部５７と接触することで、第１の回転位置を得ている。
【００３３】
第１の回転位置における、磁束の流れを図４（ｂ）で示すと、ローター磁石１７のＮ極から生じた磁束は空隙を通り最寄りの磁性体である第１のヨーク一端３１に流れ込み、第１のヨーク２３を通り第１のヨーク他端３３へ向かって流れ、第１のヨーク他端３３から空隙を通りローター磁石１７のＳ極へと流れることで閉磁路を形成している。ローター磁石１７の内部ではＳ極からＮ極方向へ磁束が生じている。これにより、ローター磁石１７にはヨークとの間の空隙を狭くする方向に吸引力が生じるため、回転軸を中心とした反時計回り方向の保持トルクが働き、第１の自己保持状態をとることができる。このとき第１の回転位置における第１の自己保持状態では、例えば反射ミラー面２１は光経路３５と重なった状態とすることができ、光ファイバーの光は反射ミラー面２１によって反射される状態となる。
【００３４】
次に、図５を用いて第２の回転位置における回転規制構造について説明する。図５（ａ）は第２の回転位置を説明するためのローター磁石近傍のアクチュエータ部断面図であり、図５（ｂ）は、第２の回転位置における第２の自己保持状態での磁束の流れを示す磁気回路展開模式図である。
【００３５】
第２のヨーク一端３７はローター磁石１７のＮ極近傍に位置し、第２のヨーク他端３９は前記ローター磁石１７のＳ極近傍に位置している。回転軸１５は回転軸保持部４３と軸押さえバネ１３とで挟み込まれることで回転自在に支持され、保持されている。そして、取付部４５の第２の角度規定部５５は回転規定板５１の第２の回転位置規定部５９と接触することで、第２の回転位置を得ている。
【００３６】
第２の回転位置における磁束の流れを図５（ｂ）で示すと、ローター磁石１７のＮ極から生じた磁束は空隙から最寄りの磁性体である第２のヨーク一端３７に流れ込み、第２のヨーク２７を通り第２のヨーク他端３９へ向かって流れ、第２のヨーク他端３９から空隙を通りローター磁石１７のＳ極へと流れることで閉磁路を形成している。ローター磁石１７の内部ではＳ極からＮ極方向へ磁束が生じている。これにより、ローター磁石１７には第２のヨーク２７との間の空隙を狭くする方向に吸引力が生じるため、回転軸を中心とした時計回り方向の保持トルクが働き、第２の自己保持状態をとることができる。このとき第２の回転位置における第２の自己保持状態では、例えば反射ミラー面２１は光経路３５からずれた状態となり、光ファイバーの光は透過させることが可能な状態となる。
【００３７】
前記アクチュエータ装置は、回転体７を回転させて様々な機能のスイッチングをすることができるが、具体的には例えば、回転体７自体又は回転体７とともに回転する従動体に、遮蔽板１９、反射ミラー、センサー等を配し、その回転体７を回転させてスイッチとして機能させることができる。なお、センサーは、回転体７又は従動体に設ける他、この回転体７や従動体とは別に設けることもできる。
【００３８】
前記ローター磁石１７の材質は、ＳｍＣｏあるいはＮｄＦｅＢの希土類磁石等を用いることができ、回転軸１５の軸方向に垂直な方向（図３における着磁方向）に２極に着磁されている。また、このローター磁石１７の形状は、第１のヨーク２３または第２のヨーク２７との間の閉磁路が形成できる形状で、前記第１のヨーク２３、第２のヨーク２７と近接させることができれば、いかなる形状であっても構わない。
【００３９】
また、遮蔽板１９はガラスまたはセラミック等の平滑面を有する板材の外形を加工して作製し、表面裏面ともに必要範囲に均等の反射率の高い材料を蒸着またはメッキ処理し、反射膜としての機能を有する反射ミラー面２１を形成することができる。
【００４０】
さらに、本発明のアクチュエータ装置の回転体７は、回転対称性とすることが可能なため、回転体７の重心と回転軸１５の重心とを略一致させることが容易である。この様に回転体７の重心位置を略一致させることで、外部からの衝撃があった場合でも、その衝撃によるアクチュエータ装置への影響を最小限にとどめることができる。なお、ここで、略一致とは、アクチュエータ部が衝撃を受けたとき、回転体７の重心と回転軸１５の重心とのズレにより生じるモーメント等によって、スイッチ動作に与える影響が許容範囲内に収まる程度を意味している。
【００４１】
そして、回転軸１５のスラスト方向両端及び回転軸保持部４３と接触する箇所、軸押さえバネ１３と接触する箇所には、摩耗低減のためのコーティング処理、メッキ処理が施されていても良い。この場合、潤滑油を使う必要が無いので、反射ミラー面２１への油膜の付着等の信頼性低下となる要因を排除することができる。
【００４２】
また、回転軸１５と接触する相手部材表面にも摩耗低減のためのコーティング処理またはメッキ処理が施されていても良い。
【００４３】
さらにこの回転軸１５は回転軸保持部４３及び軸押さえバネ１３、スラストバネ４９において、ラジアル方向、スラスト方向に保持される。この保持は、いずれも摩擦力が少ない軸受け構造をとることが可能である。そのため、本発明のアクチュエータ装置は、スイッチ動作に伴う回転角度が必要最小限に限定されて摺動箇所がこのラジアル方向２カ所及びスラスト方向２カ所の微少範囲の接触のみとすることができるから、本発明のアクチュエータ装置を駆動する際に発生する摩擦による負荷を少なくすることができる。しかも、回転時における摩擦負荷は、ラジアル方向の摩擦力に回転軸半径を乗じた負荷トルクとして発生するが、回転半径は十分小さくすることができるため、少ないトルクで前記回転体７を回転させることができる。
【００４４】
上記の如く、本発明のアクチュエータ装置を光スイッチに適用した構成を一例として示したが、本発明のアクチュエータ装置は、この光スイッチの分野に限定されないで、スイッチング機能の再現性、装置の耐久性、小型化、低消費電力等が要求されるスイッチング機構全てに適用できる技術である。
【００４５】
次に、本発明のアクチュエータ装置において、第１の回転位置から第２の回転位置へ移動する際に回転体に作用する力について図６を用いて説明する。
【００４６】
第１の回転位置において、第１のヨーク２３に巻回されている第１の励磁用コイル２５に電流を流して磁束φを発生させると、第１のヨーク一端３１をＮ極に励磁する事でローター磁石１７のＮ極との間に反発力ＦＮを生じさせるとともに、第１のヨーク他端３３をＳ極に励磁し、ローター磁石１７のＳ極との間に反発力ＦＳを生じさせることができる。すると反発力ＦＳ及びＦＮによって回転体７を時計回りに回転させ第２の回転位置とすることができるのである。
【００４７】
そして、回転体７が第１の回転位置から第２の回転位置に安定して移動するためには、十分な時間の通電状態を継続させることが必要である。例えば第１の回転位置から第２の回転位置に移動する時間が約５ｍｓｅｃであるのに対して通電時間が２０ｍｓｅｃとすることで第１の回転位置から第２の回転位置への回転体の移動を可能とする。
【００４８】
また、第２の回転位置から第１の回転位置に移動した場合において作用する力を図７を用いて説明する。第２の回転位置において、第２のヨーク２７に巻回されている第２の励磁用コイル２９に電流を流し磁束φを発生させると、第２のヨーク一端３７をＮ極に励磁する事でローター磁石１７のＮ極との間に反発力ＦＮを生じさせるとともに、第２のヨーク他端３９をＳ極に励磁することでローター磁石１７のＳ極との間に反発力ＦＳを生じさせることができる。すると、回転体７を反時計回りに回転させ第１の回転位置とすることができるのである。
【００４９】
そして、回転体７が第２の回転位置から第１の回転位置に安定して移動させるためには第２の励磁用コイル２９には十分な時間通電させることが必要である。例えば第２の回転位置から第１の回転位置に移動する時間が約５ｍｓｅｃであるのに対して通電時間が２０ｍｓｅｃとすることで第２の回転位置から第１の回転位置への回転体の移動を可能とする。
【００５０】
ここで、本発明のアクチュエータ装置において、使用温度が変化した場合の熱変形に関して図８を用いて説明する。図に示す光軸はＸ軸方向であり、Ｙ軸は紙面上Ｘ軸と直交する軸とし、Ｚ軸は紙面裏から表方向の軸としたとき、ＹＺ平面に平行な反射ミラー面２１を有している。そして、常温における取付部４５は斜線部で示してあり、高温時における取付部は実線で囲まれた取付部範囲６５で示している。なお、変形量はわかりやすいように拡大して図示している。
【００５１】
この装置に高い温度がかかると、遮蔽板１９の側面部６１と接触している取付部４５はＸ軸、Ｙ軸方向に膨張変形する事となる。しかしながら、上下の取付部４５が同じように膨張変形するため、遮蔽板１９をＸ軸に対して傾斜させる力は作用せず、そのため反射ミラー面２１と光軸（Ｘ軸）との直角度は変化せず、光の損失はほとんどない。
【００５２】
また、アクチュエータ装置を小型化した際の断面図を図９に示す。この構成は、反射ミラー面２１が回転軸１５中心から離れた位置をとる例に代えて、反射ミラー面２１が回転軸中心に近づけて配置した例を示したものである。この例によると回転体反射ミラー位置を回転軸１５に近づけたときでも第１、第２の回転規制部５７、５９の位置を従来と同じにすることができ、そのため部品の組立寸法誤差が回転角度に与える影響を少なくでき回転角度精度を良好にすることができる。また、ローター慣性モーメントを小さくすることができるため、速い応答時間を達成でき、遮蔽板１９の側面部を取付板４５との接着等により固定することで、反射ミラー面２１の面積を小型化前と同等に確保することが可能となり、加えて反射ミラー面２１と光軸との直角度の達成も容易である。
【００５３】
【発明の効果】
上記構成のアクチュエータ装置の回転体構造は、反射ミラーを備える遮蔽板が、反射ミラー面と、反射ミラー面に略垂直な面である側面部とを有し、側面部と取付部とが接着固定等されて支持されている。また、回転軸には遮蔽板、取付部、ローター磁石が圧入あるいは接着で一体に形成されており、回転軸は回転軸保持部台に設けられた回転軸保持部によって回転自在に支持されている。更に軸押さえバネのバネ力によって保持されているため、温度変化により取付部の熱膨張、熱収縮が生じても反射ミラー面の傾きが生じにくく、使用温度範囲において光ファイバと反射ミラー面との位置関係を常に一定にしておくことができるため、損失の変化が極めて少なく、高信頼性を達成することができる。
【００５４】
また、アクチュエータ装置を小型化した場合においても、遮蔽板を保持するための側面部を長く取ることができる構成であり、直交度を精度良く達成することができる有効な手段と言える。
【００５５】
更に、保持部材の一端に回転規定部を併設することで回転半径の大きな位置で回転規定を行うことができるため部品寸法誤差に対しての回転角度誤差が少なくすることができ、安定した回転角度を達成することができ、良好動作電圧、応答速度を得られる。
【００５６】
なお、本発明のアクチュエータ装置は、光スイッチの分野に限定されないで、スイッチング機能の再現性、装置の耐久性、小型化、低消費電力等が要求されるスイッチング機構全てに適用できる技術である。
【図面の簡単な説明】
【図１】本発明のアクチュエータ装置を光スイッチに適用した構成例を説明するための構造平面図である。
【図２】本発明のアクチュエータ装置における回転体の構成を説明するための斜視図である。
【図３】本発明の回転体を説明する分解斜視図である。
【図４】本発明のアクチュエータ装置の第１の回転位置を説明するためのアクチュエータ部の構造断面図及び磁気回路展開模式図である。
【図５】本発明のアクチュエータ装置の第２の回転位置を説明するためのアクチュエータ部の構造断面図及び磁気回路展開模式図である。
【図６】本発明のアクチュエータ装置の第１の回転位置から第２の回転位置に移動した際に作用する力を説明するための模式図である。
【図７】本発明のアクチュエータ装置の第２の回転位置から第１の回転位置に移動した際に作用する力を説明するための模式図である。
【図８】本発明のアクチュエータ装置が熱変形をおこした場合の取付部の形状変形について説明するための図である。
【図９】本発明のアクチュエータ装置の別の実施例を示す構造断面図である。
【図１０】従来のアクチュエータ装置を光スイッチに適用した構成例を説明するための構造平面図である。
【符号の説明】
１  筐体
３  光ファイバー部
５  アクチュエータ部
７  回転体
９  第１の磁気回路部
１１  第２の磁気回路部
１３  軸押さえバネ
１５  回転軸
１７  ローター磁石
１９  遮蔽板
２１  反射ミラー面
２３  第１のヨーク
２５  第１の励磁用コイル
２７  第２のヨーク
２９  第２の励磁用コイル
３１  第１のヨーク一端
３３  第１のヨーク他端
３５  光経路
３７  第２のヨーク一端
３９  第２のヨーク他端
４１  回転軸保持部台
４３  回転軸保持部
４５  取付部
４７  ブロック
４９  スラストバネ
５１  回転規定板
５３  第１の角度規定部
５５  第２の角度規定部
５７  第１の回転位置規定部
５９  第２の回転位置規定部
６１  側面部
６３  案内溝
６５  取付部範囲
【図１】
2004258305.tif 000003
【図２】
2004258305.tif 000004
【図３】
2004258305.tif 000005
【図４】
2004258305.tif 000006
【図５】
2004258305.tif 000007
【図６】
2004258305.tif 000008
【図７】
2004258305.tif 000009
【図８】
2004258305.tif 000010
【図９】
2004258305.tif 000011
【図１０】
2004258305.tif 000012